(57)【要約】【課題】従来のプラスチック製の円筒容器タイプのウエットシート包装体に比べてゴミの減容化や低減が可能で、低コストで製造でき、しかも従来の袋タイプのウエットシート包装体よりも使い勝手がよく経済的なウエットシート包装体を提供する。【解決手段】内部にウエットシート体３が収容されて周縁部４がシールされていることにより密封された袋体２を備える。袋体２には、その上縁シール部５側を開封した状態で、内部に収容されたウエットシート体３からその一部のウエットシート片３１を外部に引き出した際に、残部のウエットシート体３が外部に共に引き出されてしまうことなく袋体２内に留まるように、ウエットシート体３を保持するための絞り部７を形成する。そして、この絞り部７と上縁シール部５との間に開閉自在のウエットシート取り出し口８を形成する。【選択図】図２
2011126545.tif 000002
【特許請求の範囲】
【請求項１】
内部にウエットシート体が収容されて周縁部がシールされていることにより密封された袋体を有し、
この袋体には、その上縁シール部側を開封した状態で、内部に収容されたウエットシート体からその一部のウエットシート片を外部に引き出した際に、残部のウエットシート体が外部に共に引き出されてしまうことなく袋体内に留まるように、ウエットシート体を保持するための絞り部が形成されており、
この絞り部と前記上縁シール部との間に開閉自在のウエットシート取り出し口が形成されていることを特徴とするウエットシート包装体。
【請求項２】
袋体の両側縁部の上部側がハの字型に傾斜して形成されており、このハの字型の傾斜部によって前記絞り部が構成されている、請求項１記載のウエットシート包装体。
【請求項３】
袋体は正面視で正方形または長方形であり、
ウエットシート取り出し口の下方側において当該袋体の両側縁部からそれぞれ内方に向けて対向状に、当該袋体の内面側を熱融着または接着してなる一対のシール部が形成されており、この一対のシール部によって前記絞り部が構成されている、請求項１記載のウエットシート包装体。
【請求項４】
袋体には前記一対のシール部の下方側の両側部にガゼット部がそれぞれ形成されている、請求項３記載のウエットシート包装体。
【請求項５】
袋体は正面視で正方形または長方形であり、
袋体には前記ウエットシート取り出し口の下方側の両側部にガゼット部がそれぞれ形成されており、
これらのガゼット部の上部には、袋体の内部に収容されたウエットシート体の上方に内側先端部が位置して当該ウエットシート体の上方への移動を規制する正面視で三角片状の押さえ部が形成されており、
これらの三角片状の押さえ部によって前記絞り部が構成されている、請求項１記載のウエットシート包装体。
【請求項６】
袋体の内部に収容されたウエットシート体はロール状のウエットシート体であり、
このウエットシート体のロール中心部の上方近傍に前記三角片状の押さえ部の内側先端部が位置している、請求項５記載のウエットシート包装体。
【請求項７】
袋体の底部にガゼット部が形成されている、請求項１ないし６のいずれかに記載のウエットシート包装体。
【発明の詳細な説明】
【技術分野】
【０００１】
本発明は、袋体の内部にウエットシート（化粧料シートを含む）を収容したウエットシート包装体に関する。
【背景技術】
【０００２】
不織布製のシートにアルコールなどの液体成分を含浸させたウエットシート（化粧料成分を含浸させた化粧料シートを含む）は、清拭や化粧などに使用される衛生用品として周知である。このようなウエットシートは、使用するまでに乾燥してしまわないように気密性を有する袋や容器に収容されたウエットシート包装体として提供されるのが通例である。
【０００３】
この種のウエットシート包装体としては、従来、主として２つのタイプが存在する。一つは、携帯に便利な袋タイプのもので、プラスチックフィルム或いはこれにアルミニウム箔などを積層（ラミネート）してなる複合フィルムを用いて、その両サイドを熱融着によりシールして袋状とし、これにウエットシートを収納して密封した、いわゆる両サイド平面熱融着シールピロー包装品などである。このタイプには、飲食店などで客に提供される使い捨てタイプのウエットティシュ包装体も含まれる。
【０００４】
もう一つは、主に住居や車内などで使用される円筒容器タイプのもので、プラスチック製の有底円筒容器（ブロー成形品）にロール状のウエットシートを入れ、その開口端側に、内部に収納されたウエットシートの乾燥を防止しつつ当該シートを一定の長さ分ずつ取り出せるように工夫した蓋を装着したものである（例えば特許文献１参照）。この円筒容器タイプのものは、通常はウエットシートを収容した容器を立てた状態にして置いておき、その上部の蓋に設けられたシート取り出し口からウエットシートを一定長さ分ずつ引き出して使用するようになっており、ロール状のウエットシートが無くなるまで使用できて使い勝手が良いというメリットがある。
【先行技術文献】
【特許文献】
【０００５】
【特許文献１】特開２０００−３５５３４０号公報
【発明の概要】
【発明が解決しようとする課題】
【０００６】
しかしながら、最近では環境保全の観点からゴミを如何に少なくするか、つまりゴミの減容化が重要な課題となっており、この点において、上述したようなプラスチックのブロー成形品からなる従来の円筒容器タイプのウエットシート包装体は、袋タイプのものと比べるとプラスチックの使用量が相対的に多いのみならず、使用済み容器の減容化も困難であるという問題があった。また、包装体を構成するプラスチック製の円筒容器や蓋はブロー成形や射出成形で製造されるため、袋タイプのものと比べると製造コストが高くつくという問題がある。
【０００７】
一方、従来の袋タイプのウエットシート包装体では、ウエットシートを使用する際、そのつど袋を破って中のウエットシートを取り出さなければならい。すなわち、円筒容器タイプのウエットシート包装体のように必要なウエットシートのみを素早く取り出すことができないため、携帯用としては便利であっても家庭等での使い勝手が円筒容器タイプのものに比べると劣るという問題がある。また、いったん開封してしまうとウエットシートの乾燥を防ぐことができないため、一回使い捨てタイプのものに限られてしまい、不経済であるという問題がある。
【０００８】
本発明は、上記のような点に鑑みてなされたもので、従来のプラスチック製の円筒容器タイプのウエットシート包装体に比べてゴミの減容化や低減が可能で、低コストで製造でき、しかも従来の袋タイプのウエットシート包装体よりも使い勝手がよく経済的なウエットシート包装体を提供することを目的とする。
【課題を解決するための手段】
【０００９】
上記の目的を達成するため、本発明のウエットシート包装体は、以下のように構成したことを特徴とする。すなわち、本発明のウエットシート包装体は、内部にウエットシート体が収容されて周縁部がシールされていることにより密封された袋体を有する。この袋体には、その上縁シール部側を開封した状態で、内部に収容されたウエットシート体からその一部のウエットシート片を外部に引き出した際に、残部のウエットシート体が外部に共に引き出されてしまうことなく袋体内に留まるように、ウエットシート体を保持するための絞り部を形成する。そして、この絞り部と前記上縁シール部との間に開閉自在のウエットシート取り出し口を形成する。
【００１０】
開閉自在のウエットシート取り出し口は、袋体の内面側の所定位置に後の実施例で述べるような密閉可能なジッパーもしくはスライドファスナーを取り付けることによって形成してもよいし、同じく袋体の内面側の所定位置に対向面どうしの接着と分離とを繰り返して行えるような粘着剤（例えばアクリル樹脂系、アクリル樹脂エマルジョン系、エチレン- 酢酸ビニル樹脂ホットメルト系等の接着剤で再接着可能に調整したもの）を塗布することによって形成してもよい。また、開閉自在のウエットシート取り出し口を形成できるのであれば、上記のようなものに限らず、適宜他の手段や構造等を採用してもよい。
【００１１】
本発明のウエットシート包装体においては、袋体の両側縁部の上部側をハの字型に傾斜して形成し、このハの字型の傾斜部を前記絞り部として使用することができる。
【００１２】
袋体を正面視で正方形または長方形としたうえで、この袋体におけるウエットシート取り出し口の下方側において当該袋体の両側縁部からそれぞれ内方に向けて対向状に、当該袋体の内面側を熱融着または接着してなる一対のシール部を形成し、この一対のシール部を前記絞り部としてもよい。この袋体には、前記一対のシール部の下方側の両側部にガゼット部をそれぞれ形成してもよい。
【００１３】
袋体を正面視で正方形または長方形としたうえで、この袋体におけるウエットシート取り出し口の下方側の両側部にガゼット部をそれぞれ形成し、これらのガゼット部の上部に、前記絞り部を構成するものとして、袋体内に収容されたウエットシート体の上方に内側先端部が位置して当該ウエットシート体の上方への移動を規制する正面視で三角片状の押さえ部を形成してもよい。袋体の内部にロール状のウエットシート体を収容した場合には、その一部を外部に引き出す際における袋体内の残部のウエットシート体に対する押さえを更に確実なものとするため、そのロール中心部の上方近傍に前記三角片状の押さえ部の内側先端部を位置させるのが望ましい。
【００１４】
袋体の底部にはガゼット部を形成しておくことができる。袋体の底部や側部に形成されるガゼット部は、袋体の内容量を増やしたり縦置き状態での安定性を高めたりする手段として有効であり、このようなガゼット部を形成しておくことによって、ロール状のウエットシート体なども袋体内に収容しやすくなる。また、袋体の側縁部には、上縁シール部とウエットシート取り出し口との間に位置する高さ部分に袋体の開封を容易とするためのノッチ部を形成しておいてもよい。
【発明の効果】
【００１５】
本発明のウエットシート包装体によれば、袋体の上縁シール部側を例えばハサミで切るなどして開封したうえで、その下方側に位置するウエットシート取り出し口を開くことによって、内部に収容されたウエットシート体から必要分のウエットシート片を外部に引き出すことができる。その際、袋体にはウエットシート体を保持するための絞り部が形成されており、この絞り部によってウエットシート体の上端側が押さえられるので、引き出されたウエットシート片以外の残部のウエットシート体は、外部に共に引き出されてしまうことなく袋体内に留まることとなる。こうして、本発明のウエットシート包装体によれば、ウエットシート取り出し口を開いて内部のウエットシート体からウエットシート片を必要な分だけ簡単に取り出すことができる。
【００１６】
また、必要分だけウエットシート片を引き出した後は、ウエットシート取り出し口を閉じておくことによって袋体を密閉状態に保っておけるので、袋体内にある残部のウエットシート体の乾燥を防ぐことができる。したがって、袋体内のウエットシート体が完全に無くなってしまうまで所定の湿潤状態を保ったまま繰り返し使えるので、一回使い捨てタイプのものに比べると経済的である。なお、円筒容器タイプのウエットシート包装体の場合、通常は容器内に収容されているウエットシート体が外部から視認できないようになっているので残部のウエットシート量を知るのは難しいが、本発明のウエットシート包装体では、ウエットシート取り出し口を開けたときに袋体内のウエットシート体が外部から或るていど視認できるので、そのつど袋体内に残っているウエットシートの量を知ることができる。
【００１７】
このように本発明のウエットシート包装体においては、最初に使用する際に袋体の上縁シール部側を開封しておけばその後はウエットシート取り出し口からウエットシート片を引き出すことで必要な分だけのウエットシートを簡単に取り出すことができ、取り出し後はウエットシート取り出し口を閉じておくことで次に使用するまで袋体を密閉して内部のウエットシートの湿潤状態を保っておくことができるので、従来の袋タイプのウエットシート包装体のようにウエットシートの使用時にその収容している袋をその都度破ったりゴミとして廃棄したりしなくても済むことになる。したがって、従来の袋タイプのものに比べて使い勝手が良く、使用するごとに袋のゴミが生じることもない。また、ウエットシートを使い切った場合には袋体のみを廃棄すればよいから、従来のプラスチック製の円筒容器を使用したウエットシート包装体と比べてゴミの発生量が少ないだけでなく、ゴミの減容化の点でも優れている。
【００１８】
本発明のウエットシート包装体は、袋体の内部にウエットシート体を収容した構成であるから、軽量で持ち運びに便利である。しかも、両側部や底部にガゼット部を形成した袋体を使用することで自立タイプのウエットシート包装体も実現できる。自立タイプのウエットシート包装体とした場合には、平面タイプのものに比べて袋体の外表面積が増大するので、その分だけ広告や商品等の説明に使用可能なスペースも増える。
【図面の簡単な説明】
【００１９】
【図１】本発明の実施例１に係るウエットシート包装体の全体構造（未使用状態）を示す斜視図である。
【図２】本発明の実施例１に係るウエットシート包装体の内部構造（使用可能状態）を示す縦断正面図である。
【図３】図２のＡ−Ａ線断面図である。
【図４】本発明の実施例２に係るウエットシート包装体の全体構造（未使用状態）を示す斜視図である。
【図５】本発明の実施例２に係るウエットシート包装体の内部構造（使用可能状態）を示す縦断正面図である。
【図６】本発明の実施例３に係るウエットシート包装体の内部構造（使用可能状態）を示す縦断正面図である。
【図７】本発明の実施例４に係るウエットシート包装体の全体構造（未使用状態）を示す斜視図である。
【図８】本発明の実施例４に係るウエットシート包装体の内部構造（使用可能状態）を示す縦断正面図である。
【図９】図８のＢ−Ｂ線断面図である。
【図１０】本発明の実施例４に係るウエットシート包装体における袋体の展開図である。
【図１１】本発明の実施例５に係るウエットシート包装体の全体構造（未使用状態）を示す斜視図である。
【図１２】本発明の実施例５に係るウエットシート包装体の内部構造（使用可能状態）を示す縦断正面図である。
【図１３】本発明の実施例６に係るウエットシート包装体の全体構造（未使用状態）を示す斜視図である。
【図１４】本発明の実施例６に係るウエットシート包装体の絞り部（シール部）の周辺構造を示す縦断正面図である。
【図１５】図１４のＣ−Ｃ線断面図である。
【図１６】本発明の実施例７に係るウエットシート包装体の全体構造（未使用状態）を示す斜視図である。
【図１７】袋体の上部構造の変形例を示す正面図である。
【図１８】図１７のＤ−Ｄ線端面図である。
【発明を実施するための形態】
【００２０】
以下、本発明の実施例について説明する。
【００２１】
［実施例１］  図１ないし図３は、本発明の実施例１に係るウエットシート包装体の全体構造を示すものである。これらの図に示すように、本実施例に係るウエットシート包装体１は、プラスチック製フィルムを主体とした気密性を有するラミネートフィルムからなる正面視で長方形の袋体２を有する。この袋体２の内部にはロール状に巻かれたウエットシート体３が収容されており、その状態で袋体２の周縁部４がシール（ここではヒートシール）されていることにより、袋体２の内部が気密・液密の状態に保たれた構造となっている。なお、図２において網目を施した部分がシール部分である（以下、他の図面においても同様。）。
【００２２】
袋体２を形成しているラミネートフィルムは、後述する実施例４に使用されているものと同様であって、図１に示したように、中間層ａが気体・液体に対するバリア性を有するアルミニウム箔あるいはアルミニウム蒸着膜によって構成され、その内面側が熱融着可能な例えばポリエチレンフィルムからなるシーラント層ｂとされ、外面側が印刷可能な例えばポリプロピレンからなる基材層ｃとされている。
【００２３】
袋体２には、上縁シール部５の直下に位置する一側縁部に開封用のノッチ６が形成されている。また、このノッチ６よりもウエットシート体３の収納されている側に、ウエットシート体３を保持するための絞り部７が形成されているとともに、この絞り部７とノッチ６との間に開閉自在のウエットシート取り出し口８（図２参照）が形成されている。
【００２４】
このうち、ウエットシート取り出し口８は、絞り部７とノッチ６との間に位置する袋体２の内面部分に、その幅方向に延びる密閉用のジッパー９を設けてなる。このジッパー９はプラスチック材で形成され、図３に示すように、上述した幅方向に延びる凹条部分９１と、これに係脱可能な凸条部分９２とで構成されており、これらを係脱させることで開閉操作が可能とされている。そして、同図に示したように凹条部分９１と凸条部分９２とを所定の状態に係合させてウエットシート取り出し口８を閉じることにより、袋体２内を気密状態に保って内部のウエットシート体３の乾燥を防止できるようになっている。
【００２５】
一方、絞り部７は、ウエットシート取り出し口８の下方側において当該袋体２の両側縁部２１・２２からそれぞれ内方に向けて対向状に、袋体２の内面側を熱融着または接着してなる一対のシール部１０・１０で構成されている。これらの一対のシール部１０・１０の先端部間の間隔Ｌは、少なくとも、袋体２内に収容されたロール状のウエットシート体３の直径Ｍよりも小さな寸法に設定されている。そして、ノッチ６の部分で上縁シール部５側を引き裂いて開封した状態でウエットシート取り出し口８を開き、図２に示したように、内部に収容されているウエットシート体３の中心部側からその一部のウエットシート片３１を外部に引き出す際に、その引き出し方向へのウエットシート体３の移動が絞り部７、つまり一対のシール部１０・１０によって規制されることにより、残部のウエットシート体３が外部に共に引き出されてしまうことなく袋体２内に留まるように構成されている。
【００２６】
なお、上記のウエットシート体３においては、当該シートの長手方向に一定間隔ごとに短手方向に延びるいわゆるミシン目（切断されるべき部分としてのミシン目。ただし図示せず。）が入れられており、ウエットシート体３の中心部側からその一端を外部に素早く引き出したときに当該ミシン目部分で切れることによって一回分のウエットシート片３１が取り出せるように構成されている。
【００２７】
上記のウエットシート包装体１は、図１に示したように袋体２の周縁部４をシールした状態で工場から出荷され、使用する際に図２に示したように上縁シール部５側が取り除かれることによって開封される。この状態で、ウエットシート取り出し口８を開くと、内部に収容されたウエットシート体３の引き出し側（中心部側）の端部が掴めるので、その部分を掴んで外側に引き出すことで必要分のウエットシート片３１を取り出すことができる。その際、袋体２にはウエットシート体３を保持するための絞り部７として左右一対のシール部１０・１０が形成されており、これらのシール部１０・１０によってウエットシート体３の上方側への移動が規制されるので、引き出されたウエットシート片３１以外の残部のウエットシート体３は、外部に共に引き出されてしまうことなく袋体２内に留まる。したがって、ウエットシート取り出し口８を介して内部のウエットシート体３からウエットシート片３１を必要な分だけ簡単に外部に取り出して使用することができる。
【００２８】
また、上記のようにして必要分だけ取り出した後において、ウエットシート取り出し口８のジッパー９を再度閉じておけば、袋体２内が気密状態に保たれるので、袋体２内にある残部のウエットシート体３の乾燥を防ぐことができる。したがって、袋体２内のウエットシート体３を完全に使い切ってしまうまでその湿潤状態を保つことができるから、一回使い捨てタイプのものに比べると経済的である。さらに、ウエットシート取り出し口８のジッパー９を開けたときに袋体２内のウエットシート体３を視認できるので、そのつど袋体２内に残っているウエットシートの量を知ることができる。
【００２９】
このように上記のウエットシート包装体１においては、ウエットシート取り出し口８からウエットシート片３を引き出すことで必要な分だけのウエットシートを簡単に取り出すことができるので、従来の袋タイプのウエットシート包装体のようにウエットシートを取り出す際にその都度袋を破ったりその破った袋をゴミとして捨てたりする必要がない。したがって、従来の袋タイプのものに比べて使い勝手が良く、使用の都度ゴミが生じることもない。また、ウエットシート体３を使い切った場合には袋体２のみを廃棄すればよいから、従来のプラスチック製の円筒容器を使用したウエットシート包装体と比べてゴミの発生量が少ないだけでなく、ゴミの減容化の点でも優れている。
【００３０】
［実施例２］  図４および図５は、本発明の実施例２に係るウエットシート包装体１を示したものである。このウエットシート包装体１においては、底部２４にガゼット部Ｇを形成した自立タイプ（スタンディングタイプ）の袋体２が使用されている。このような自立タイプの袋体２を使用したウエットシート包装体１の場合、自立させた状態で袋体２内のウエットシート体３からウエットシート片３１を引き出す際に袋体２が安定するので、ウエットシート片３１を取り出しやすいというメリットがある。このような点以外は、実施例１の場合と同様であって実施例１で述べた説明がそのまま当てはまるので、実施例１の場合と同様の部分については同様の符号を付してその説明を省略する。
【００３１】
［実施例３］  図６は、本発明の実施例３に係るウエットシート包装体１を示したものである。このウエットシート包装体１においては、袋体２の両側縁部２１・２２の上部側をハの字型に傾斜して形成されている。このハの字型の傾斜部１１・１１は本発明における絞り部７を構成するものであり、所定の高さ位置（図示例では各傾斜部１１の下端部近傍）から上部側の幅寸法Ｎが図中のウエットシート体３の幅寸法（図中の左右方向の寸法）Ｐよりも狭くなるように設定されていることにより、袋体２内に収容されたウエットシート体３の袋体２外への移動を規制して袋体２内に保持しておけるようになっている。
【００３２】
なお、図示例では、分離したウエットシート片３１を交互に折り畳んで、その最上端のウエットシート片１３１を上方に引き出したときにその次のウエットシート片１３２が取り出しやすいように一部が上方に開いた状態となる、いわゆるポップアップタイプのウエットシート体３が使用されているが、実施例１等と同様にロール状のウエットシート体を使用することも可能である。
【００３３】
以上の点以外は、実施例１の場合とほぼ同様であるので、実施例１の場合と同様の部分については同様の符号を付してその説明を省略する。
【００３４】
［実施例４］  図７ないし図１０は、本発明の実施例４に係るウエットシート包装体１を示したものである。このウエットシート包装体１は、気密性を有するラミネートフィルムからなる自立タイプ（スタンディングタイプ）の正面視で長方形の袋体２を有する。袋体２の内部にはロール状に巻かれたウエットシート体３が収容されており、その状態で袋体２の周縁部４がシール（ヒートシール）されていることにより、袋体２の内部が気密・液密の状態に保たれた構造となっている。
【００３５】
袋体２の上部には、上縁シール部５の直下に位置する一側縁部２１に開封用のノッチ６が形成されており、さらにこのノッチ６の下方側に開閉自在のウエットシート取り出し口８（図８参照）が形成されている。
【００３６】
袋体２の両側縁部２１・２２には、上端の高さ位置がノッチ６の高さ位置より下方側に位置するガゼット部Ｇ・Ｇがそれぞれ形成されている。これらのガゼット部Ｇ・Ｇの上部には、ウエットシート体３を袋体２内に保持するための絞り部７を構成する正面視（図８の状態）で三角片状の押さえ部１２・１２がそれぞれ形成されている。この左右一対の三角片状の押さえ部１２・１２は、各ガゼット部Ｇの上端側を内側に折り込むことによって形成され、その内側先端部１２１が、袋体２内に収容されたウエットシート体３の上方に位置していることにより、当該ウエットシート体３の上方への移動を規制している。そして、ノッチ６の部分で上縁シール部５側を引き裂いて開封した状態でウエットシート取り出し口８を開き、袋体２内に収容されているウエットシート体３の中心部側からその一部のウエットシート片３１を外部に引き出す際に、ウエットシート体３の上端側が左右一対の三角片状の押さえ部１２・１２によって押さえられることにより、引き出したウエットシート片３１のみを外部に取り出せるとともに、残部のウエットシート体３が外部に共に引き出されてしまうことなく袋体２内に留まるように構成されている。
【００３７】
上記ウエットシート取り出し口８は、両三角片状の押さえ部１２・１２とノッチ６との間に位置する袋体２の内面部分に、その幅方向に延びる密閉用のジッパー９を設けてなる。このジッパー９は、先に説明した実施例１におけるものと同様の構成である。すなわち、このジッパー９は、プラスチック材で形成されており、先の図３に示したように、袋体２の幅方向に延びる凹条部分９１と、これに係脱可能な凸条部分９２とで構成されている。そして、これらを係脱させることで開閉操作が可能とされているとともに、凹条部分９１と凸条部分９２とを所定の状態に係合させてウエットシート取り出し口８を閉じることにより、袋体２内を気密状態に保って内部のウエットシート体３の乾燥を防止できるようになっている。
【００３８】
上記の袋体２は、図１０に示すように、三層構造のラミネートフィルムで形成されている。このラミネートフィルムは、中間層ａが気体・液体に対するバリア性を有するアルミニウム箔あるいはアルミニウム蒸着膜によって構成され、その内面側が熱融着可能な例えばポリエチレンフィルムからなるシーラント層ｂとされ、外面側が印刷可能な例えばポリプロピレンからなる基材層ｃとされている。袋体２は、このようなラミネートフィルムを、図１０に示したように、当該袋体２の前面または後面となる第１矩形部２Ａと、これよりも袋体２の高さ方向（図１０の左右方向）の寸法が所定量だけ短く設定されて左ガゼット部Ｇまたは右ガゼット部Ｇとなる第２矩形部２Ｂとを交互に配置した形状となるように切断し、図中の点線および鎖線で示した部分で所定の状態に折り曲げ、さらに袋体２の周縁部４となる部分の内面側のシーラント層ｂどうしを対接させ、その部分をヒートシールすることにより作成される。
【００３９】
上記のウエットシート包装体１は、図７に示したように周縁部４をシールした状態で工場から出荷され、使用する際に図８に示したように上縁シール部５側が取り除かれることによって開封される。この状態で、ウエットシート取り出し口８のジッパー９を開くと、内部に収容されたウエットシート体３の引き出し側（中心部側）の端部が掴めるので、その部分を掴んで外側に引き出すことで必要分のウエットシート片３１を取り出すことができる。その際、袋体２にはウエットシート体３を保持するための絞り部として左右一対の三角辺状の押さえ部１２・１２が形成されており、これらの押さえ部１２・１２によってウエットシート体３の上方側への移動が規制されるので、引き出されたウエットシート片３１以外の残部のウエットシート体３は、外部に共に引き出されてしまうことなく袋体２内に留まる。したがって、ウエットシート取り出し口８を介して内部のウエットシート体３からウエットシート片３１を必要な分だけを簡単に外部に取り出して使用することができる。
【００４０】
また、上記のようにして必要分だけ取り出した後において、ウエットシート取り出し口８のジッパー９を再度閉じておけば、袋体２内が気密状態に保たれるので、袋体２内にある残部のウエットシート体３の乾燥を防ぐことができる。したがって、袋体２内のウエットシート体３を完全に使い切ってしまうまでその湿潤状態を保つことができるから、一回使い捨てタイプのものに比べると経済的である。さらに、ウエットシート取り出し口８のジッパー９を開けたときに例えば図９に示したように袋体２内のウエットシート体３を視認できるので、そのつど袋体２内に残っているウエットシートの量を知ることができる。
【００４１】
このように上記のウエットシート包装体２においては、ウエットシート取り出し口８からウエットシート片３１を引き出すことで必要な分だけのウエットシートを簡単に取り出すことができるので、従来の袋タイプのウエットシート包装体のようにウエットシートを取り出す際にその都度袋を破ったりする必要がなく、破った袋をゴミとして捨てることもない。したがって、従来の袋タイプのものに比べて使い勝手が良く、使用の都度ゴミが生じることもない。また、ウエットシートを使い切った場合には袋体のみを廃棄すればよいから、従来のプラスチック製の円筒容器を使用したウエットシート包装体と比べてゴミの発生量が少ないだけでなく、ゴミの減容化の点でも優れている。
【００４２】
さらに、本実施例のウエットシート包装体１は、左右両側部にガゼット部Ｇが形成されて自立可能とされた袋体２の内部にロール状のウエットシート３を収容した構成であるから、平面置き（寝かせた状態）あるいは自立置き（立てた状態）のいずれでも使用でき、その点でも使い勝手が良い。
【００４３】
［実施例５］  図１１および図１２は、本発明の実施例５に係るウエットシート包装体１を示したものである。このウエットシート包装体１においては、立てた状態での安定性（自立安定性）がさらに良くなるように、袋体２の両側縁部２１・２２側の各側面（つまり両側部）および底部２４にガゼット部Ｇがそれぞれ形成されている点が、上記の実施例４の場合と異なる。その他の構成は実施例１の場合と同様であるので、対応する部分に同符号を付してその説明を省略する。
【００４４】
［実施例６］  図１３ないし図１５は、本発明の実施例６に係るウエットシート包装体１を示したものである。このウエットシート包装体１は、袋体２の左右の両側縁部２１・２２側の各側面、つまり両側部にガゼット部Ｇ・Ｇが形成されている点は実施例４、５と同じであるが、各カゼット部Ｇの上端側に上述したような三角辺状の押さえ部１２・１２（図７・図８等参照）ではなく、実施例１の場合と同じような左右一対のシール部１３・１３が設けられて、これらが袋体２内のウエットシート体３を保持するための絞り部７とされている。このような点以外は、実施例４の場合とほぼ同様であるので、対応する部分に同符号を付してその説明を省略する。
【００４５】
［実施例７］  図１６は、本発明の実施例６に係るウエットシート包装体１を示したものである。このウエットシート包装体１は、立てた状態での安定性（自立安定性）がさらに高くなるように、袋体２の両側縁部２１・２２側の各側面（つまり両側部）のみならず底部２４にもガゼット部Ｇが形成されている点が、上記の実施例６の場合と異なる。その他の構成は実施例６の場合と同様であるので、対応する部分に同符号を付してその説明を省略する。
【００４６】
なお、上記の絞り部７を構成する左右一対のシール部１０・１０、１３・１３や左右一対の三角片状の押さえ部１２・１２は、これらの内側先端部が、袋体２内に収容されたロール状のウエットシート体１３の中心部近傍の上方に位置するように構成するのが望ましい。その一例を図２や図７に鎖線で示す。このようにすると、ロール状のウエットシート体３の残量が少なくなっても、その上方側が当該シール部１０・１０、１３・１３や押さえ部１２・１２の内側先端部によって確実に押さえられるので、最後まで安定してウエットシート片３１を取り出せるようになる。
【００４７】
袋体２の上部側の構造は、上述したようなものに限られず、例えば図１７および図１８に示すような構造としてもよい。これらの図に示したウエットシート包装体１においては、袋体２の上縁シール部５に連続する左右の両側縁部２１・２１の上部側に、ウエットシート体３を保持するための絞り部７を構成するものとして比較的幅広の左右一対のシール部１４・１４が形成されている。これらのシール部１４・１４間の間隔は、ロール状のウエットシート体３の直径よりも狭い幅となるように設定されている。
【００４８】
一対のシール部１４・１４のうちの一方と重なる側縁部（図示例では左側縁部２１）に開封用のノッチ６が形成されており、このノッチ６よりもウエットシート体３の収納されている側に開閉自在のウエットシート取り出し口８が形成されている。このウエットシート取り出し口８は、絞り部７とノッチ６との間に位置する袋体２の内面部分に、その幅方向に延びる密閉用のジッパー９を設けてなる。このジッパー９の両端は両シール部１４・１４に連続している。なお、ジッパー９の構造自体は、先に説明したもの（図３参照）と同様である。
【００４９】
このような袋体２においても、内部に収容されているウエットシート体３の中心部側からその一部のウエットシート片３１を外部に引き出す際に、その引き出し方向へのウエットシート体３の移動が絞り部７、つまり一対のシール部１４・１４によって規制されることにより、残部のウエットシート体３が外部に共に引き出されてしまうことなく袋体２内に留まるようになる。なお、上記の構造は、両両側部や底部にガゼットを有する袋体、あるいはそのようなガゼットを有していない袋体のいずれにも適用可能である。
【符号の説明】
【００５０】
１  ウエットシート包装体
２  袋体
２１・２２  袋体の両側部
２４  袋体の底部
３  ウエットシート体
３１  ウエットシート片
４  袋体の周縁部
５  上縁シール部
６  ノッチ
７  絞り部
８  ウエットシート取り出し口
９  ジッパー
１０・１３・１４  シール部
１２  三角辺状の押さえ部
Ｇ  ガゼット部
【図１】
2011126545.tif 000003
【図２】
2011126545.tif 000004
【図３】
2011126545.tif 000005
【図４】
2011126545.tif 000006
【図５】
2011126545.tif 000007
【図６】
2011126545.tif 000008
【図７】
2011126545.tif 000009
【図８】
2011126545.tif 000010
【図９】
2011126545.tif 000011
【図１０】
2011126545.tif 000012
【図１１】
2011126545.tif 000013
【図１２】
2011126545.tif 000014
【図１３】
2011126545.tif 000015
【図１４】
2011126545.tif 000016
【図１５】
2011126545.tif 000017
【図１６】
2011126545.tif 000018
【図１７】
2011126545.tif 000019
【図１８】
2011126545.tif 000020